(57)【要約】【課題】タッチパッドの操作面に水滴等の付着物が付着する場合には入力対応処理を行わず、タッチパッドの操作面に人の指が接触する場合には入力対応処理を行う入力装置を提供する。【解決手段】操作面における接触を検知するタッチパッドと、入力対応処理を行う処理部と、前記タッチパッドによって接触が検知された場合において、当該接触の接触量が減少を開始したときに、前記処理部に、当該接触に応じる入力対応処理を開始させる制御部とを備える。【選択図】図１０
2014048692.tif 000002
【特許請求の範囲】
【請求項１】
操作面における接触を検知するタッチパッドと、
前記操作面への接触に対応した処理を行う処理部と、
前記タッチパッドによって接触が検知された場合において、当該接触の接触量が減少を開始したときに、前記処理部に、当該接触に応じた処理を開始させる制御部とを備える
ことを特徴とする入力装置。
【請求項２】
前記制御部は、前記タッチパッドによって接触が検知された場合に、当該接触の位置を特定し、
前記処理部は、前記制御部によって特定された接触の位置に基づいて、前記接触に対応した処理を行う
ことを特徴とする請求項１記載の入力装置。
【請求項３】
前記制御部は、前記タッチパッドによって接触が検知された場合において、一の位置における接触の接触量が減少を開始したときであっても、全ての接触についての総接触量が減少を開始していなければ、前記処理部に前記処理を開始させないように制御する
ことを特徴とする請求項２記載の入力装置。
【請求項４】
第１の動作モードと第２の動作モードとを有し、
前記制御部は、前記第１の動作モードで動作し、
前記タッチパッドを利用するユーザからの、動作モードの切り替え操作を受け付けて、動作モードを切り替える動作モード切替部と、
前記第２の動作モードで動作し、前記タッチパッドによって接触が検知された場合に、前記処理部に、当該接触に応じる処理を開始させる追加制御部とを備える
ことを特徴とする請求項３記載の入力装置。
【請求項５】
前記制御部は、前記タッチパッドによって接触が検知された場合において、当該接触の接触量が減少を開始したときであっても、当該接触量の減少量が所定の閾値未満であれば、前記処理部に前記処理を開始させないように制御する
ことを特徴とする請求項３記載の入力装置。
【請求項６】
前記タッチパッドは、
前記操作面に、接触を検知するための複数の接触検知領域を有し、
前記接触の接触量として、接触を検知した接触検知領域の数を検出する
ことを特徴とする請求項４記載の入力装置。
【請求項７】
前記タッチパッドは、接触量が減少したことを、接触体との間に生じる静電容量の減少によって特定する
ことを特徴とする請求項４記載の入力装置。
【請求項８】
請求項１記載の入力装置を含む入力受付部と、
外部の基地局との間で、前記入力受付部によって受け付けられた入力に基づく通信を行う通信部とを備える
ことを特徴とする携帯通信端末。
【発明の詳細な説明】
【技術分野】
【０００１】
本発明は、タッチパッドを用いて行う入力操作の受け付け技術に関する。
【背景技術】
【０００２】
タッチパッドの操作面に水滴等の付着物が付着する場合には入力対応処理を行わず、タッチパッドの操作面に人の指が接触する場合には入力対応処理を行う入力装置として、例えば、特許文献１記載のタッチスイッチ検出装置が知られている。
このタッチスイッチ検出装置は、予め、所定の高周波が供給されるタッチ検出電極に水滴等の付着物が付着した場合におけるタッチ検出電極の電位変化パターンと、所定の高周波が供給されるタッチ検出電極に人の指が接触した場合におけるタッチ検出電極の電位変化パターンとを記憶し、所定の高周波が供給されるタッチ検出電極において電位変化が生じた場合に、その電位変化のパターンと記憶している電位変化パターンとを比較して、その電位変化が、人の指の接触によるものであると判定する場合に限って入力対応処理を行う。
【先行技術文献】
【特許文献】
【０００３】
【特許文献１】特開２００９−２２９２４８号公報
【特許文献２】特開２００９−２３２１５２号公報
【特許文献３】特開２００９−２３８７０１号公報
【特許文献４】特開２００９−２３９５１９号公報
【特許文献５】特開２００９−２３９６４９号公報
【特許文献６】特開２０１１−１７６４２号公報
【発明の概要】
【発明が解決しようとする課題】
【０００４】
一般に、水滴等の付着物の付着のパターンは多様であり、また、人の指によるタッチパネルへの接触のパターンも多様である。このことにより、タッチ検出電極に水滴等の付着物が付着した場合におけるタッチ検出電極の電位変化パターンも多様となり、また、タッチ検出電極に人の指が接触した場合におけるタッチ検出電極の電位変化パターンも多様となる。このため、予め記憶させる電位変化パターンの設定が難しい。
【０００５】
本発明は、タッチパッドに対して適切な入力処理を行うことが可能な入力装置を提供することを目的とする。
【課題を解決するための手段】
【０００６】
上記課題を解決するために本発明に係る入力装置は、操作面における接触を検知するタッチパッドと、前記操作面への接触に対応した処理を行う処理部と、前記タッチパッドによって接触が検知された場合において、当該接触の接触量が減少を開始したときに、前記処理部に、当該接触に応じた処理を開始させる制御部とを備えることを特徴とする。
【発明の効果】
【０００７】
本発明では、タッチパッドに対して適切な入力処理を行うことが可能な入力装置を提供することができる。
【図面の簡単な説明】
【０００８】
【図１】携帯通信端末１００の斜視図
【図２】携帯通信端末１００の回路図
【図３】タッチパッド２７０における透明電極群の配置構成を示す模式図
【図４】（ａ）第１Ｘ軸電極ライン４１１と第１Ｙ軸電極ライン４２１の交差領域付近の透明電極を示す模式図、（ｂ）第２Ｘ軸電極ライン４３２と第３Ｘ軸電極ラインと、第２Ｙ軸電極ライン４４２と第３Ｙ軸電極ライン４４３との交差領域付近の透明電極を示す模式図
【図５】携帯通信端末１００の機能ブロック図
【図６】接触履歴テーブル６００の構成の一例を示す構成図
【図７】入力処理制御部５８０の状態遷移図
【図８】（ａ）単押しパターンを示す模式図、（ｂ）長押しパターンを示す模式図
【図９】スライドパターンを示す模式図
【図１０】防水モード時入力処理のフローチャート
【図１１】通常モード時入力処理のフローチャート
【図１２】タッチパネル１１０の操作面に付着している雨粒の様子と、接触している指の様子とを示す模式図
【図１３】携帯通信端末１００が水没する様子を示す模式図
【発明を実施するための形態】
【０００９】
＜実施の形態＞
＜概要＞
以下、本発明に係る入力装置の一例として、タッチパッド２７０と液晶ディスプレイ２８０とからなるタッチパネル１１０を備える携帯通信端末１００について説明する。
この携帯通信端末１００は、防水モードと通常モードとのいずれかの入力モードで動作する。そして、入力モードが防水モードである場合には、タッチパネル１１０の操作面に接触体（入力操作を目的とする人の指等、又は水滴等の付着物等）が接触したときに、接触体が接触を開始した時点では入力対応処理を開始せずに、接触体がタッチパネル１１０の操作面からリリースを開始した時点で入力対応処理を開始する。
【００１０】
以下、この携帯通信端末１００の構成について、図面を参照しながら説明する。
＜構成＞
図１は、携帯通信端末１００の斜視図である。
同図に示されるように、携帯通信端末１００は、略直方体の筐体を備えるいわゆるスマートフォン型携帯通信端末であって、筐体の主表面に、防水処理されたタッチパネル１１０と、防水レシーバ孔１２０と、防水マイク孔１３０とを備える。
【００１１】
この携帯通信端末１００は、水滴等が付着する環境下で使用された場合にも故障せずに動作できるように、その筐体表面に防水処理がなされている。
図２は、携帯通信端末１００の回路図である。
同図に示されるように、携帯通信端末１００は、ＣＰＵ（Central Processing Unit）２００と、通信用ＬＳＩ（Large Scale Integration）２１０と、アンテナ２２０と、タッチパネルコントローラ２３０と、タッチパネル１１０と、メモリ２４０と、レシーバ２５０と、マイク２６０とから構成される。そして、タッチパネル１１０は、タッチパッド２７０と、液晶ディスプレイ２８０とから構成される。
【００１２】
アンテナ２２０は、通信用ＬＳＩ２１０に接続された、金属薄膜製のモノポールアンテナである。
通信用ＬＳＩ２１０は、アンテナ２２０とＣＰＵ２００とに接続され、ＣＰＵ２００によって制御され、ＣＰＵ２００から送られて来る送信用信号を変調する変調機能と、変調した信号を、アンテナ２２０を利用して外部の基地局へ送信する送信機能と、外部の基地局から送られて来る信号を、アンテナ２２０を利用して受信する受信機能と、受信した信号を復調してＣＰＵ２００へ送る復調機能とを有する。
【００１３】
メモリ２４０は、ＣＰＵ２００に接続され、ＣＰＵ２００によって制御され、ＲＯＭ（Read Only Memory）と、ＲＡＭ（Random Access Memory）と、着脱可能なフラッシュメモリとによって構成され、ＣＰＵ２００の動作を規定するプログラムと、ＣＰＵ２００が利用するデータとを記憶する。
マイク２６０は、ＣＰＵ２００に接続され、ＣＰＵ２００によって制御され、防水マイク孔１３０（図１参照）を通して筐体外部から入力される音声を電気信号に変換して、変換した電気信号をＣＰＵ２００へ送る機能を有する。
【００１４】
レシーバ２５０は、ＣＰＵ２００に接続され、ＣＰＵ２００によって制御され、ＣＰＵ２００から送られる電気信号を音声に変換して、変換した音声を、防水レシーバ孔１２０（図１参照）を通して筐体外部へ出力する機能を有する。
液晶ディスプレイ２８０は、タッチパネルコントローラ２３０に接続され、タッチパネルコントローラ２３０によって制御され、タッチパネルコントローラ２３０から送られる画像データに応じた画像を表示する機能を有する。
【００１５】
タッチパッド２７０は、タッチパネルコントローラ２３０に接続され、タッチパネルコントローラ２３０によって制御され、複数の透明電極（例えば、ＩＴＯ（Indium Tin Oxide：酸化インジウムスズ）製）を備える、透明な、いわゆる投影型静電容量方式タッチパッドであって、液晶ディスプレイ２８０の表示面に重ねられて配置されることでタッチパネル１１０を形成する。
【００１６】
また、このタッチパッド２７０は、高周波発生回路と、タッチパネルコントローラ２３０の制御に従って自タッチパッドの動作を制御するコントローラとを内蔵する。
図３は、タッチパッド２７０における透明電極群の配置構成を模式的に示す模式図である。この模式図では、タッチパッド２７０を構成する透明電極について、あたかも視認することができるかのように描かれているが、実際には、透明であるため視認することができない。
【００１７】
同図に示されるように、タッチパッド２７０の操作面には、正方形の透明電極（例えば、電極３００等）がアレイ状に敷き詰められている。ここで、各透明電極のサイズは、例えば、１辺の長さが１ｍｍの正方形である。
各透明電極は、Ｘ軸方向に一列に配置される透明電極群が直列接続されてなるＸ軸電極ライン（例えば、Ｘ軸電極ライン３１０等）と、Ｙ軸方向に一列に配置される透明電極群が直列接続されてなるＹ軸電極ライン（例えば、Ｙ軸電極ライン３２０等）とのいずれか一方に属する。
【００１８】
タッチパッド２７０は、内蔵するコントローラの制御により、一定期間Ｔ１（ここでは、例えば、１／１０秒）毎に、Ｘ軸電極ラインのそれぞれに対して所定の高周波を順に印加して、それぞれの高周波の印加時における、Ｙ軸電極ラインのそれぞれにおける電位の変動が所定の閾値を超えるか否かを調べる（以下、この１／１０秒毎に行う、高周波の印加による電位変動の検査を、「スキャン」と呼ぶ。）。
【００１９】
接触体が、Ｘ軸電極ラインを構成する一の透明電極（仮に、「第１透明電極」と呼ぶ。）と、Ｙ軸電極ラインを構成する一の透明電極（仮に、「第２透明電極」と呼ぶ。）とを跨る形で操作面に接触又は近接（以下、単に「接触」と呼ぶ。）する場合に、第１透明電極と第２透明電極とが静電容量結合されることとなる。この状態で、第１透明電極の属するＸ軸電極ラインに所定の高周波が印加されると、第２透明電極の属するＹ軸電極ラインの電位が変動する。
【００２０】
タッチパッド２７０は、一のＸ軸電極ラインに所定の高周波を印加した場合において、一のＹ軸電極ラインにおける電位の変動が所定の閾値を超えることを検出することで、そのＸ軸電極ラインとそのＹ軸電極ラインとの交差領域付近に接触体が接触していることを検知し、そのＸ軸電極ラインの中心線とＹ軸電極ラインの中心線との交点の座標（以下、「接触検知座標」と呼ぶ。そして、この接触検知座標によって示される点を「接触点」と呼ぶ。）を示す信号を、タッチパネルコントローラ２３０に出力する。
【００２１】
図４（ａ）は、一のＸ軸電極ラインである第１Ｘ軸電極ライン４１１と一のＹ軸電極ラインである第１Ｙ軸電極ライン４２１の交差領域付近に接触体が接触している場合における、その交差領域付近の透明電極を模式的に示す模式図である。
タッチパッド２７０は、その接触体によって結合される、第１Ｘ軸電極ライン４１１と第１Ｙ軸電極ライン４２１との間の静電容量が所定値以上であれば、第１Ｘ軸電極ライン４１１に所定の高周波を印加した場合に、第１Ｙ軸電極ライン４２１における電位の変動が所定の閾値を超えることを検出する。そして、タッチパッド２７０は、第１Ｘ軸電極ライン４１１の中心線と第１Ｙ軸電極ライン４２１の中心線との交点である接触点４００の座標を示す信号を、タッチパネルコントローラ２３０に出力する。
【００２２】
図４（ｂ）は、それぞれが一のＸ軸電極ラインである第２Ｘ軸電極ライン４３２と第３Ｘ軸電極ラインと、それぞれが一のＹ軸電極ラインである第２Ｙ軸電極ライン４４２と第３Ｙ軸電極ライン４４３との交差領域付近に接触体が接触している場合における、その交差領域付近の透明電極を模式的に示す模式図である。
タッチパッド２７０は、その接触体によって結合される、第２Ｘ軸電極ライン４３２と第２Ｙ軸電極ライン４４２との間の静電容量と、第２Ｘ軸電極ライン４３２と第３Ｙ軸電極ライン４４３との間の静電容量と、第３Ｘ軸電極ライン４３３と第２Ｙ軸電極ライン４４２との間の静電容量と、第３Ｘ軸電極ライン４３３と第３Ｙ軸電極ライン４４３との間の静電容量とが所定値以上であれば、第２Ｘ軸電極ライン４３２に所定の高周波を印加した場合に、第２Ｙ軸電極ライン４４２における電位の変動と第３Ｙ軸電極ライン４４３における電位の変動とが所定の閾値を超えることを検出し、第３Ｘ軸電極ライン４３３に所定の高周波を印加した場合に、第２Ｙ軸電極ライン４４２における電位の変動と第３Ｙ軸電極ライン４４３における電位の変動とが所定の閾値を超えることを検出する。そして、タッチパッド２７０は、第２Ｘ軸電極ライン４３２の中心線と第２Ｙ軸電極ライン４４２の中心線との交点である接触点４５０の座標と、第２Ｘ軸電極ライン４３２の中心線と第３Ｙ軸電極ライン４４３の中心線との交点である接触点４５１の座標と、第３Ｘ軸電極ライン４３３の中心線と第２Ｙ軸電極ライン４４２の中心線との交点である接触点４５２の座標と、第３Ｘ軸電極ライン４３３の中心線と第３Ｙ軸電極ライン４４３の中心線との交点である接触点４５３の座標とを示す信号を、タッチパネルコントローラ２３０に出力する。
【００２３】
再び図２に戻って、携帯通信端末１００の回路構成についての説明を続ける。
タッチパネルコントローラ２３０は、ＣＰＵ２００とタッチパッド２７０と液晶ディスプレイ２８０とに接続され、ＣＰＵ２００によって制御され、液晶ディスプレイ２８０を制御して、ＣＰＵ２００から送られてくる画像信号に基づく画像を液晶ディスプレイ２８０に表示させる機能と、タッチパッド２７０を制御して、タッチパッド２７０から送られてくる信号をＣＰＵ２００へ伝達する機能とを有する。
【００２４】
ＣＰＵ２００は、通信用ＬＳＩ２１０とタッチパネルコントローラ２３０とメモリ２４０とマイク２６０とレシーバ２５０とに接続され、メモリ２４０に記憶されているプログラムを実行することで、通信用ＬＳＩ２１０とタッチパネルコントローラ２３０とメモリ２４０とマイク２６０とレシーバ２５０とを制御して、以下の機能を実現する。
携帯通信端末制御機能：携帯通信端末１００に、従来のスマートフォン型携帯通信端末が有する携帯通信端末としての一般的な機能と同等な機能、例えば、インターネットサイト閲覧機能、メール送受信機能、待ち受け機能等を実現させる機能。この携帯通信端末制御機能は、ＣＰＵ２００がメモリ２４０に記憶されているプログラムを実行することで実現される。
【００２５】
モード切替機能：ユーザから、入力モードを切り替える旨の操作がなされた場合に、携帯通信端末１００の入力モードを、防水モードと通常モードとの間で切り替える機能。この携帯通信端末制御機能は、ＣＰＵ２００がメモリ２４０に記憶されているプログラムを実行することで実現される。
防水モード時入力受付機能：携帯通信端末１００の入力モードが防水モードである場合において、ユーザからの入力操作を受け付け、その入力操作に対応する処理を開始する機能。この防水モード時入力受付機能は、ＣＰＵ２００がメモリ２４０に記憶されているプログラムを実行して、携帯通信端末１００に防水モード時入力受付処理を行わせることによって実現される。なお、この防水モード時入力受付処理については、後程＜防水モード時入力処理＞の項目において、フローチャートを用いて詳細に説明する。
【００２６】
通常モード時入力受付機能：携帯通信端末１００の入力モードが通常モードである場合において、ユーザからの入力操作を受け付け、その入力操作に対応する処理を開始する機能。この通常水モード時入力受付機能は、ＣＰＵ２００がメモリ２４０に記憶されているプログラムを実行して、携帯通信端末１００に通常モード時入力受付処理を行わせることによって実現される。なお、この通常モード時入力受付処理については、後程＜通常モード時入力処理＞の項目において、フローチャートを用いて詳細に説明する。
【００２７】
上記回路構成を備える携帯通信端末１００について、以下、機能面から見た機能構成について図面を参照しながら説明する。
図５は、携帯通信端末１００を構成する主要な機能ブロックを示す機能ブロック図である。
同図に示されるように、携帯通信端末１００は、アンテナ２２０とレシーバ２５０とタッチパッド２７０と液晶ディスプレイ２８０とマイク２６０とに加えて、制御部５００と入力処理部５１０と出力処理部５２０と受信部５３０と復調部５４０と送信部５５０と変調部５６０と接触履歴テーブル記憶部５７０と入力処理制御部５８０と接触パターン記憶部５９０とから構成される。
【００２８】
受信部５３０は、通信用ＬＳＩ２１０によって実現され、アンテナ２２０と復調部５４０とに接続され、アンテナ２２０を利用して、外部の基地局から送信される、所定の携帯電話通信規格の信号を受信して復調部５４０へ送る機能を有する。
復調部５４０は、通信用ＬＳＩ２１０によって実現され、受信部５３０と制御部５００とに接続され、受信部５３０から送られて来る信号を所定のアルゴリズムに基づいて復調して、制御部５００に送る機能を有する。
【００２９】
変調部５６０は、通信用ＬＳＩ２１０によって実現され、送信部５５０と制御部５００とに接続され、制御部５００から送られて来る信号を、所定の携帯通信規格の信号に変調して、送信部５５０へ送る機能を有する。
送信部５５０は、通信用ＬＳＩ２１０によって実現され、アンテナ２２０と変調部５６０とに接続され、変調部５６０から送られて来る信号を、アンテナ２２０を利用して外部の基地局へ送信する機能を有する。
【００３０】
出力処理部５２０は、タッチパネルコントローラ２３０とプログラムを実行するＣＰＵ２００とによって実現され、液晶ディスプレイ２８０と制御部５００とに接続され、制御部５００から送られて来る信号に基づいて画像データを生成して、生成した画像データに基づく画像を液晶ディスプレイ２８０に表示させる機能を有する。
接触履歴テーブル記憶部５７０は、メモリ２４０の記憶領域の一部とプログラムを実行するＣＰＵ２００とによって実現され、入力処理部５１０と入力処理制御部５８０とに接続され、接触履歴テーブル６００を記憶する機能を有する。この接触履歴テーブル６００は、タッチパッド２７０が１／１０秒毎に行うスキャンに同期して、入力処理制御部５８０によって更新される。
【００３１】
図６は、接触履歴テーブル６００の構成の一例を示す構成図である。
同図に示されるように、接触履歴テーブル６００は、時刻６１０と接触検知座標６２０と接触領域識別子６３０と領域座標６４０と接触点数６５０と接触点総数６６０とが対応付けられて構成される。
時刻６１０は、タッチパッド２７０が最後にスキャンした時刻を基準とする場合における、タッチパッド２７０が過去にスキャンした時刻を示す情報である。この例では、接触履歴テーブル６００は、１０／１０秒前、９／１０秒前〜０／１０秒前（今回）の時刻を示す情報を含む。
【００３２】
接触検知座標６２０は、対応する時刻６１０によって示される時刻においてタッチパッド２７０から出力された、接触検知座標のそれぞれを示す情報である。
接触領域識別子６３０は、対応する接触検知座標６２０によって示される接触点を含む接触領域を識別する識別子である。ここで、接触領域とは、１又は複数の接触点に対して、それら接触点を取り囲む透明電極群が配置されている領域のことをいう。例えば、図４（ａ）には、接触点が１つの場合における接触領域が示されている。すなわち、接触点４００に対応する接触領域が、接触点４００を取り囲む４つの透明電極が配置されている接触領域４０１であることが示されている。また、図４（ｂ）には、接触点が互いに隣接する４つの場合における接触領域が示されている。すなわち、接触点４２０〜接触点４２３に対する接触領域が、接触点４２０〜接触点４２３を取り囲む１２の透明電極が配置されている接触領域４２５であることが示されている。接触領域、及び接触領域識別子６３０は、入力処理制御部５８０によって算出される。これらの算出法については後述する。
【００３３】
領域座標６４０は、対応する接触領域識別子６３０によって識別される接触領域の座標を示す情報である。この領域座標６４０は、入力処理制御部５８０によって算出される。算出法については後述する。
接触点数６５０は、対応する接触検知座標６２０の数、すなわち、対応する接触領域識別子６３０によって識別される接触領域に含まれる接触点の数を示す情報である。
【００３４】
接触点総数６６０は、対応する接触検知座標６２０の数、すなわち、対応する時刻６１０において、タッチパッド２７０から出力された接触検知座標の数を示す情報である。
再び図５に戻って、機能ブロックの説明を続ける。
入力処理制御部５８０は、タッチパネルコントローラ２３０とプログラムを実行するＣＰＵ２００とによって実現され、タッチパッド２７０と制御部５００と入力処理部５１０と接触履歴テーブル記憶部５７０とに接続され、防水モードと通常モードとのいずれかの動作モードで動作し、以下の機能を有する。
【００３５】
接触領域算出機能：タッチパッド２７０から送られて来る接触検知座標のそれぞれについて、接触点を取り囲む４つの透明電極（例えば、図４（ａ）の接触点４００と接触領域４０１とを参照）を特定し、互いに隣接する、特定された電極群からなる一の領域のそれぞれを、一の接触領域（例えば、図４（ｂ）の接触領域４５５参照）のそれぞれとして算出する機能。
【００３６】
領域座標算出機能：接触領域を算出した場合に、算出した接触領域のそれぞれについて、接触領域に含まれる電極群の重心の座標を、領域座標として算出する機能。
接触領域識別機能：接触領域を算出した場合に、算出した接触領域のそれぞれについて、接触領域を識別する接触領域識別子を設定する機能。
ここで、入力処理制御部５８０は、一の接触領域を算出した場合において、その接触領域に含まれる電極の少なくとも一部が、前回のスキャン時に算出した接触領域に含まれるときには、それらの接触領域が同一のものであると判定し、それらの接触領域の接触領域識別子が同一となるように、その一の接触領域についての接触領域識別子を設定する。
【００３７】
接触履歴テーブル更新機能：、タッチパッド２７０が１／１０秒毎に行うスキャンに同期して、接触履歴テーブル記憶部５７０が記憶する接触履歴テーブル６００を更新する機能。
モード切替機能：通常モード時において、制御部５００から、動作モードを通常モードから防水モードへと切り替える旨の防水モード切替信号が送られて来たときに、動作モードを通常モードから防水モードへと切り替え、防水モード時において、制御部５００から、動作モードを通常モードから防水モードへと切り替える旨の通常モード切替信号が送られて来たときに、動作モードを防水モードから通常モードへと切り替える機能。図７に、入力処理制御部５８０の状態遷移図７００を示す。
【００３８】
防水モード時入力開始処理：防水モード時において、タッチパッド２７０から送られて来る接触検知座標の数が、所定数Ｎ（例えば、３５００。すなわち、Ｘ軸電極ライン群とＹ軸電極ライン群との交点の数Ｚ（例えば、１００００）のＸ％（例えば、３５％））未満であるときに、接触点総数（図６の接触点総数６６０参照）が、前回から所定の数（例えば２）以上減少していれば、接触点数（図６の接触点数６５０参照）が減少している接触領域のそれぞれを識別する接触領域識別子（図６の接触領域識別子６３０参照）のそれぞれを特定して、防水モード時入力開始信号を生成し、生成した防水モード時入力開始信号と、特定したそれぞれの接触領域識別子とを、入力処理部５１０へ送る機能。
【００３９】
通常モード時入力開始処理：通常モード時において、タッチパッド２７０が１／１０秒毎に行うスキャンに同期して通常モード時入力開始信号を生成して、入力処理部５１０へ送る機能。
接触パターン記憶部５９０は、メモリ２４０の記憶領域の一部とプログラムを実行するＣＰＵ２００とによって実現され、入力処理部５１０に接続され、複数の、予め定められた接触パターンを示す情報記憶する機能を有する。
【００４０】
図８（ａ）は、接触パターン記憶部５９０が記憶する接触パターンを示す情報によって示される接触パターンの一例である単押しパターンを示す模式図である。
同図に示されるように、単押しパターンは、一の接触領域について、接触点数が増加した後、所定時間（例えば、１秒）未満経過した時点から接触点数が減少を開始するパターンである。
【００４１】
図８（ｂ）は、接触パターン記憶部５９０が記憶する接触パターンを示す情報によって示される接触パターンの一例である長押しパターンを示す模式図である。
同図に示されるように、長押しパターンは、一の接触領域について、接触点数が増加した後、所定時間（例えば、１秒）以上経過した時点から接触点数が減少を開始するパターンである。
【００４２】
図９は、接触パターン記憶部５９０が記憶する接触パターンを示す情報によって示される接触パターンの一例であるスライドパターンを示す模式図である。
同図に示されるように、スライドパターンは、一の接触領域について、接触点数が増加した後、接触領域が移動して、接触点数が減少を開始するパターンである。
再び図５に戻って、機能ブロックの説明を続ける。
【００４３】
入力処理部５１０は、タッチパネルコントローラ２３０とプログラムを実行するＣＰＵ２００とによって実現され、制御部５００と入力処理制御部５８０と接触履歴テーブル記憶部５７０と接触パターン記憶部５９０とに接続され、以下の機能を有する。
防水モード時入力パターン特定機能：入力処理制御部５８０から、防水モード時入力開始信号が送られて来た場合に、防水モード時入力開始信号と共に送られて来る接触領域識別子のそれぞれについて、接触履歴テーブル記憶部５７０に記憶される接触履歴テーブルを参照して、過去における、領域座標６４０の変遷と接触点数６５０の変遷とから、接触領域識別子によって識別される接触領域における接触のパターンのそれぞれが、接触パターン記憶部５９０に記憶される接触パターンのうちのいずれであるかを特定する機能。
【００４４】
通常モード時入力パターン特定機能：入力処理制御部５８０から、通常モード時入力開始信号が送られて来た場合に、接触履歴テーブル記憶部５７０に記憶される接触履歴テーブルを参照して、接触領域識別子のそれぞれについて、過去における、領域座標６４０の変遷と接触点数６５０の変遷とから、接触領域識別子によって識別される接触領域における接触のパターンが、接触パターン記憶部５９０に記憶される接触パターンのうちのいずれかと一致するか否かを調べ、一致するものがある場合に、それぞれの接触パターンを特定する機能。
【００４５】
入力操作受付機能：接触パターンを特定した場合に、特定した接触パターンそれぞれについて、対応する接触座標に基づいて入力操作を特定し、特定した入力操作を示す入力操作受付信号を制御部５００へ送る機能。
制御部５００は、プログラムを実行するＣＰＵ２００によって実現され、レシーバ２５０とマイク２６０と復調部５４０と変調部５６０と入力処理部５１０と入力処理制御部５８０と出力処理部５２０とに接続され、前述の携帯通信端末制御機能に加え、以下の入力対応処理機能を有する。
【００４６】
入力対応処理機能：入力処理部５１０から入力操作受付信号が送られて来た場合に、その入力操作受付信号によって示される入力操作に対応する処理を実行する機能。
ここで、入力処理部５１０から送られて来た入力操作受付信号が、携帯通信端末１００の動作モードを通常モードから防水モードへと切り替えることを示す入力操作である場合には、制御部５００は、防水モード切替信号を生成して入力処理制御部５８０へ出力し、携帯通信端末１００の動作モードを防水モードから通常モードへと切り替えることを示す入力操作である場合には、制御部５００は、通常モード切替信号を生成して入力処理制御部５８０へ出力する。
【００４７】
但し、入力処理部５１０から入力操作受付信号が送られて来た場合において、その入力操作受付信号によって示される入力操作に対応する新たな処理を開始したときであっても、その新たな処理が、所定の期間（例えば１秒）内に既に実行を開始していた処理と同じ処理であれば、その新たな処理の実行をキャンセルする。
以下、図面を参照しながら、上記構成の携帯通信端末１００の行う動作について説明する。
【００４８】
＜動作＞
ここでは、携帯通信端末１００の行う動作のうち、特徴的な動作である、防水モード時入力処理と通常モード時入力処理とについて説明する。
＜防水モード時入力処理＞
防水モード時入力処理は、防水モード時の携帯通信端末１００が行う処理であって、携帯通信端末１００を使用するユーザによる、タッチパッド２７０への入力操作を受け付けて、受け付けた入力操作に対応する処理を開始する処理である。
【００４９】
図１０は、防水モード時入力処理のフローチャートである。
防水モード時入力処理は、ユーザ操作によって、携帯通信端末１００の動作モードが通常モードから防水モードへと切り替えられることによって開始される。
防水モード時入力処理が開始され、タッチパッド２７０による前回のスキャン時から一定期間Ｔ１経過すると、タッチパッド２７０は、新たなスキャンを行う（ステップＳ１０００）。
【００５０】
タッチパッド２７０は、新たなスキャン時において、接触体が操作面に接触している場合に、その接触を検知して、入力処理制御部５８０へ接触検知座標を送る。また、もしも接触を検知しなければ、接触検知座標を送らない。
入力処理制御部５８０は、タッチパッド２７０のスキャンと同期して、接触履歴テーブル記憶部５７０が記憶する接触履歴テーブル６００を更新する（ステップＳ１０１０）。
【００５１】
接触履歴テーブル６００を更新すると、入力処理制御部５８０は、タッチパッド２７０から送られて来る接触検知座標の数、すなわち、更新した接触履歴テーブル６００における、最新の時刻６１０に対応する接触点総数６６０（以下、「最新接触点総数」と呼ぶ。）が、所定数Ｎ未満であるか否かを調べる（ステップＳ１０２０）。
ステップＳ１０２０の処理において、最新接触点総数が所定数Ｎ未満である場合に（ステップＳ１０２０：Ｙｅｓ）、入力処理制御部５８０は、更新した接触履歴テーブル６００における、前回の、すなわち１／１０秒前の時刻６１０に対応する接触点総数６６０（以下、「前回接触点総数」と呼ぶ。）よりも、最新接触点総数が、所定の数（例えば１０）以上減少しているか否かを調べる（ステップＳ１０３０）。
【００５２】
ステップＳ１０３０の処理において、所定数以上減少している場合に（ステップＳ１０３０：Ｙｅｓ）、入力処理制御部５８０は、１／１０秒前の時刻６１０と今回の時刻６１０との間で、接触点数６５０が減少している接触領域識別子６３０を特定する（ステップＳ１０４０）。そして、防水モード時入力開始信号を生成して、生成した防水モード時入力開始信号と、特定したそれぞれの接触領域識別子とを、入力処理部５１０へ送る。
【００５３】
入力処理制御部５８０から防水モード時入力開始信号が送られて来ると、入力処理部５１０は、防水モード時入力開始信号と共に送られて来る接触領域識別子のそれぞれについて、接触履歴テーブル記憶部５７０に記憶される接触履歴テーブルを参照して、過去における、領域座標６４０の変遷と接触点数６５０の変遷とから、接触領域識別子によって識別される接触領域における接触のパターンが、接触パターン記憶部５９０に記憶される接触パターンのうちのいずれであるかを特定する。そして、特定した接触パターンそれぞれについて、対応する接触座標に基づいて入力操作を特定し、特定した入力操作を示す入力操作受付信号を制御部５００へ送る（ステップＳ１０５０）。
【００５４】
入力操作受付信号が送られて来ると、制御部５００は、その入力操作受付信号によって示される入力操作に対応する処理を開始する（ステップＳ１０６０）。
ステップＳ１０６０の処理が終了した場合と、ステップＳ１０２０の処理において、最新接触点総数が所定数Ｎ未満でない場合と（ステップＳ１０２０：Ｎｏ）、ステップＳ１０３０の処理において、所定数以上減少していない場合と（ステップＳ１０３０：Ｎｏ）において、タッチパッド２７０による前回のスキャン時から一定期間Ｔ１経過すると、タッチパッド２７０は、新たなスキャンを行う（ステップＳ１０７０）。
【００５５】
ステップＳ１０７０の処理が終わると、携帯通信端末１００は、再びステップＳ１０１０の処理に戻って、ステップＳ１０１０以下の処理を繰り返す。
＜通常モード時入力処理＞
通常モード時入力処理は、通常モード時の携帯通信端末１００が行う処理であって、携帯通信端末１００を使用するユーザによる、タッチパッド２７０への入力操作を受け付けて、受け付けた入力操作に対応する処理を開始する処理である。
【００５６】
図１１は、通常モード時入力処理のフローチャートである。
通常モード時入力処理は、通常モード時の携帯通信端末１００が行う処理であって、ユーザ操作によって、携帯通信端末１００の動作モードが防水モードから通常モードへと切り替えられる場合と、携帯通信端末１００が起動されて、初期状態として携帯通信端末１００の動作モードが通常モードに設定される場合とに開始される。
【００５７】
通常モード時入力処理が開始され、タッチパッド２７０による前回のスキャン時から一定期間Ｔ１経過すると、タッチパッド２７０は、新たなスキャンを行う（ステップＳ１１００）。但し、携帯通信端末１００の起動時の初期状態として通常モードに設定された場合には、モード設定時から一定期間Ｔ１経過すると、最初のスキャンを行う。以下、説明を簡略化するために、この「最初のスキャン」のことも「新たなスキャン」と呼ぶこととする。
【００５８】
タッチパッド２７０は、新たなスキャン時において、接触体が操作面に接触している場合に、その接触を検知して、入力処理制御部５８０へ接触検知座標を送る。また、もしも接触を検知しなければ、接触検知座標を送らない。
入力処理制御部５８０は、タッチパッド２７０の検知と同期して、接触履歴テーブル記憶部５７０が記憶する接触履歴テーブル６００を更新して（ステップＳ１１１０）、通常モード時入力開始信号を生成して、入力処理部５１０へ送る。
【００５９】
入力処理制御部５８０から通常モード時入力開始信号が送られて来ると、入力処理部５１０は、接触履歴テーブル記憶部５７０に記憶される接触履歴テーブルを参照して、接触領域識別子のそれぞれについて、過去における、領域座標６４０の変遷と接触点数６５０の変遷とから、接触領域識別子によって識別される接触領域における接触のパターンが、接触パターン記憶部５９０に記憶される接触パターンのうちのいずれかと一致するか否かを調べる（ステップＳ１１２０）。
【００６０】
ステップＳ１１２０の処理において、一致するパターンがある場合に（ステップＳ１１２０：Ｙｅｓ）、入力処理部５１０は、一致する接触パターンそれぞれについて、対応する接触座標に基づいて入力操作を特定し、特定した入力操作を示す入力操作受付信号を制御部５００へ送る（ステップＳ１１３０）。
入力操作受付信号が送られて来ると、制御部５００は、その入力操作受付信号によって示される入力操作に対応する処理を開始する（ステップＳ１１４０）。
【００６１】
ステップＳ１１４０の処理が終了した場合と、ステップＳ１１２０の処理において、一致するパターンがない場合と（ステップＳ１１２０：Ｎｏ）において、タッチパッド２７０による前回のスキャン時から一定期間Ｔ１経過すると、タッチパッド２７０は、新たなスキャンを行う（ステップＳ１１５０）。
ステップＳ１１５０の処理が終わると、携帯通信端末１００は、再びステップＳ１１１０の処理に戻って、ステップＳ１１１０以下の処理を繰り返す。
【００６２】
＜具体例１＞
タッチパネル１１０の操作面に雨粒が付着しつつある状態において、ユーザによるタッチパネル１１０の操作面への入力操作がなされた場合における、携帯通信端末１００の動作について、具体例を挙げて説明する。
図１２は、タッチパネル１１０の操作面に付着している雨粒の様子と、接触している指の様子とを模式的に示す模式図である。
【００６３】
図１２の左部分には、タッチパネル１１０の操作面に雨粒が４つ付着した（（１）雨付着〜（４）雨付着）後、ユーザの指による操作面への入力操作（（５）指接触）がなされ、さらにその後雨粒が付着（（６）雨付着）したことを模式的に示している。
（１）雨付着〜（４）雨付着までの期間には、前回接触点総数よりも最新接触点数が減少することがないため（ステップＳ１０３０：Ｎｏ）、入力操作に対応する処理が開始（ステップＳ１０６０）されることがない。
【００６４】
ユーザの指による操作面への入力操作（（５）指接触）がなされた場合において、操作面から指のリリースが開始されると、前回接触点総数よりも最新接触点数が減少することとなり（ステップＳ１０３０：Ｙｅｓ）、接触点数が減少している接触領域が（５）指接触の領域となるので、（５）指接触の領域へのユーザの指による入力操作に対応する処理が開始（ステップＳ１０６０）される。
【００６５】
図１２の右部分には、（５）指接触における指のリリース後に、（１）雨付着〜（４）雨付着の水滴が合体して（（７）水滴合体）、一つの水滴になり、さらにその後、ユーザによる操作面への入力操作（（８）指接触）がなされたことを模式的に示している。
（１）雨付着〜（４）雨付着の水滴が合体して一つの水滴になる場合には、合体の前後で水滴の総量は変わらないので、前回接触点総数よりも最新接触点数が減少することがない（ステップＳ１０３０：Ｎｏ）。このため、入力操作に対応する処理が開始（ステップＳ１０６０）されることがない。
【００６６】
その後、ユーザの指による操作面への入力操作（（８）指接触）がなされた場合において、操作面から指のリリースが開始されると、前回接触点総数よりも最新接触点数が減少することとなり（ステップＳ１０３０：Ｙｅｓ）、接触点数が減少している接触領域が（８）指接触の領域となるので、（８）指接触の領域におけるユーザの指による入力操作に対応する処理が開始（ステップＳ１０６０）される。
【００６７】
＜具体例２＞
少なくとも一部が水没している場合における携帯通信端末１００の動作について、具体例を挙げて説明する。
図１３は、携帯通信端末１００が水没する様子を模式的に示す模式図である。
図１３の左部分には、水中に落下していく携帯通信端末１００の様子が模式的に示されている。
【００６８】
水中に落下していく期間には、前回接触点総数よりも最新接触点数が減少することがないため（ステップＳ１０３０：Ｎｏ）、入力操作に対応する処理が開始（ステップＳ１０６０）されることがない。
図１３の右部分には、水中への落下が停止している携帯通信端末１００の様子が模式的に示されている。
【００６９】
水中への落下が停止している期間において、操作面のうちのＸ％以上が水没している場合には、最新接触点総数が、所定数Ｎ未満でないため（ステップＳ１０２０：Ｎｏ）、入力操作に対応する処理が開始（ステップＳ１０６０）されることがない。
水中への落下が停止している期間において、操作面のうちのＸ％未満が水没している場合には、最新接触点総数が、所定数Ｎ未満であるため（ステップＳ１０２０：Ｙｅｓ）、ステップＳ１０３０以下の処理が行われることとなる。
【００７０】
一般に、人が指を使って行う、入力操作を目的とするタッチパッド操作面の操作は、操作面からの指のリリースを伴うが、水滴等の付着物の付着には、操作面からの付着物のリリースを伴わない。
本実施形態に係る入力装置では、操作面における接触体のリリースが開始されて、接触量が減少を開始した場合に入力対応処理を開始することとなる。このことにより、この入力装置は、タッチパッドの操作面に水滴等の付着物が付着する場合には入力処理を行わず、タッチパッドの操作面に、入力操作を目的とする人の指が接触する場合には入力対応処理を行う。
＜補足＞
以上、本発明に係る携帯通信端末の一実施形態として、実施の形態において携帯通信端末１００を例として説明したが、以下のように変形することも可能であり、本発明は上述した実施の形態通りの携帯通信端末に限られないことはもちろんである。
【００７１】
（１）実施の形態において、タッチパネル１１０を利用する電子機器が、携帯通信端末１００である構成の例であった。しかしながら、タッチパネル１１０を利用する電子機器は、タッチパネル１１０の操作面に水滴が付着している状態であっても動作することができる電子機器であれば、必ずしも携帯通信端末に限定される必要はない。一例として、タッチパネルを利用してユーザからの操作を受け付けるデジタルスチルカメラ、タッチパネルを利用してユーザからの操作を受け付けるタブレット型パソコン等が考えられる。
【００７２】
また、電子機器が携帯通信端末である場合であっても、必ずしも、略直方体の筐体を備えるいわゆるスマートフォン型携帯通信端末である構成に限られず、例えば、折り畳み式携帯電話機である構成の例も考えられる。
（２）実施の形態において、携帯通信端末１００が利用するタッチパッド２７０は、いわゆる投影型静電容量方式タッチパッドである構成の例であった。しかしながら、静電容量を利用して接触の程度を検出することができるタイプのタッチパッドであれば、必ずしも、いわゆる投影型静電容量方式タッチパッドに限定される必要はない。一例として、いわゆる表面型静電容量方式タッチパッドである構成の例等が考えられる。
【００７３】
一般に、いわゆる表面型静電容量方式タッチパッドは、いわゆる投影型静電容量方式タッチパッドと違って、接触点数を検出することはできない。しかしながら、接触体との間に生じる静電容量の大きさを検出することはできる。従って、いわゆる表面型静電容量方式タッチパッドを利用する構成の場合には、いわゆる投影型静電容量方式タッチパッドにおいて接触の程度を示す指標として利用される接触点数の代わりに、検出される静電容量の大きさを、接触の程度を示す指標として利用することとなる。
【００７４】
（３）実施の形態において、接触パターン記憶部５９０が記憶する接触パターンの一例として、単押しパターンと長押しパターンとスライドパターンとの３つのパターンの例を挙げて説明した。しかしながら、接触パターン記憶部５９０が記憶する接触パターンは、互いに区別することができるパターンであれば、これら３つのパターンに限られず、例えば、ダブルクリックパターン、フリックパターン等を含んでいても構わない。
【００７５】
（４）実施の形態において、タッチパネル１１０は、液晶ディスプレイ２８０の表示面にタッチパッド２７０が重ねられて配置されることで形成される構成の例であった。しかしながら、画像を表示する機能を有し、かつ、その表示面にタッチパッド２７０を重ねて配置できるデバイスであれば、必ずしも液晶ディスプレイである必要はない。一例として、有機ＥＬ（Electro-Luminescence）ディスプレイである例等が考えられる。
【００７６】
（５）実施の形態において、タッチパッド２７０は、その操作面に、正方形の透明電極がアレイ状に敷き詰められている構成の例であった。しかしながら、接触体が接触した場合に、操作面における、その接触の位置を示す信号を出力することができれば、透明電極の形状は必ずしも正方形である必要はない。一例として正六角形である構成の例等が考えられる。
【００７７】
（６）実施の形態において、入力処理制御部５８０は、ステップＳ１０２０の処理において、タッチパッド２７０から送られて来る接触検知座標の数が所定数Ｎ未満でない場合（ステップＳ１０２０：Ｎｏ）に、ステップＳ１０３０の処理に進まず、タッチパッド２７０から送られて来る接触検知座標の数が所定数Ｎ未満である場合（ステップＳ１０２０：Ｙｅｓ）に、ステップＳ１０３０の処理に進む構成の例であった。しかしながら、少なくとも、タッチパッド２７０から送られて来る接触検知座標の数が所定数Ｎ未満でない場合に、ステップＳ１０３０の処理を行わない構成であれば、他の構成であっても構わない。
【００７８】
一例として、タッチパッド２７０から送られて来る接触検知座標の数が所定数Ｎ未満でない場合と、タッチパッド２７０から送られて来る接触検知座標の数が所定数Ｎ以上の状態から所定数Ｎ未満の状態へと変化してから一定期間（例えば、２秒間）経過していない場合とに、ステップＳ１０３０の処理に進まず、それ以外の場合に、ステップＳ１０３０の処理に進む構成の例等が考えられる。
【００７９】
（７）上記実施の形態及び上記変形例をそれぞれ組み合わせるとしてもよい。
（８）以下、さらに本発明の一実施形態に係る入力装置の構成及びその変形例と各効果について説明する。
（ａ）本発明の一実施形態に係る入力装置は、操作面における接触を検知するタッチパッドと、前記操作面への接触に対応した処理を行う処理部と、前記タッチパッドによって接触が検知された場合において、当該接触の接触量が減少を開始したときに、前記処理部に、当該接触に応じた処理を開始させる制御部とを備えることを特徴とする。
【００８０】
一般に、人が指を使って行う、入力操作を目的とするタッチパッド操作面の操作は、操作面からの指のリリースを伴うが、水滴等の付着物の付着には、操作面からの付着物のリリースを伴わない。
上述の構成を備える本実施の形態に係る入力装置では、操作面における接触体のリリースが開始されて、接触量が減少を開始した場合に入力対応処理を開始することとなる。このことにより、この入力装置は、タッチパッドの操作面に水滴等の付着物が付着する場合には入力処理を行わず、タッチパッドの操作面に、入力操作を目的とする人の指が接触する場合には入力対応処理を行う。
【００８１】
（ｂ）また、前記制御部は、前記タッチパッドによって接触が検知された場合に、当該接触の位置を特定し、前記処理部は、前記制御部によって特定された接触の位置に基づいて、前記接触に対応した処理を行うとしてもよい。
これにより、接触の位置に基づく入力対応処理を行うことができるようになる。
（ｃ）また、前記制御部は、前記タッチパッドによって接触が検知された場合において、一の位置における接触の接触量が減少を開始したときであっても、全ての接触についての総接触量が減少を開始していなければ、前記処理部に前記処理を開始させないように制御するとしてもよい。
【００８２】
これにより、総接触量が減少を開始していない期間に入力処理を開始しないようにすることができる。
（ｄ）また、第１の動作モードと第２の動作モードとを有し、前記制御部は、前記第１の動作モードで動作し、前記タッチパッドを利用するユーザからの、動作モードの切り替え操作を受け付けて、動作モードを切り替える動作モード切替部と、前記第２の動作モードで動作し、前記タッチパッドによって接触が検知された場合に、前記処理部に、当該接触に応じる処理を開始させる追加制御部とを備えるとしてもよい。
【００８３】
これにより、第１の動作モードと第２の動作モードとにおいて、互いに異なる条件で入力対応処理を開始することができるようになる。
（ｅ）また、前記制御部は、前記タッチパッドによって接触が検知された場合において、当該接触の接触量が減少を開始したときであっても、当該接触量の減少量が所定の閾値未満であれば、前記処理部に前記処理を開始させないように制御するとしてもよい。
【００８４】
これにより、接触量の減少量が所定の閾値以上となる場合に限って入力処理を行うようにできる。
（ｆ）また、前記タッチパッドは、前記操作面に、接触を検知するための複数の接触検知領域を有し、前記接触の接触量として、接触を検知した接触検知領域の数を検出するとしてもよい。
【００８５】
これにより、接触量を、接触を検知する接触検知領域の数とすることができるようになる。
（ｇ）また、前記タッチパッドは、接触量が減少したことを、接触体との間に生じる静電容量の減少によって特定するとしてもよい。
これにより、接触量を、接触体との間に生じる静電容量の大きさとすることができるようになる。
【００８６】
（ｈ）本発明の一実施形態に係る携帯通信端末は、操作面における接触を検知するタッチパッドと、前記操作面への接触に対応した処理を行う処理部と、前記タッチパッドによって接触が検知された場合において、当該接触の接触量が減少を開始したときに、前記処理部に、当該接触に応じた処理を開始させる制御部とを備えることを特徴とする入力装置を含む入力受付部と、外部の基地局との間で、前記入力受付部によって受け付けられた入力に基づく通信を行う通信部とを備えることを特徴とする。
【００８７】
一般に、人が指を使って行う、入力操作を目的とするタッチパッド操作面の操作は、操作面からの指のリリースを伴うが、水滴等の付着物の付着には、必ずしも、操作面からの付着物のリリースを伴わない。
上述の構成を備える本実施の形態に係る携帯通信端末では、内蔵するタッチパッドの操作面における接触体のリリースが開始されて、接触量が減少を開始した場合に入力対応処理を開始することとなる。このことにより、この携帯通信端末は、タッチパッドの操作面に水滴等の付着物が付着する場合には入力処理を行わず、タッチパッドの操作面に、入力操作を目的とする人の指が接触する場合には入力対応処理を行う。
【産業上の利用可能性】
【００８８】
本発明は、タッチパッドを利用するシステムに広く利用することができる。
【符号の説明】
【００８９】
１００  携帯通信端末
１１０  タッチパネル
２２０  アンテナ
２５０  レシーバ
２６０  マイク
２７０  タッチパッド
２７０  液晶ディスプレイ
５００  制御部
５１０  入力処理部
５２０  出力処理部
５３０  受信部
５４０  復調部
５５０  送信部
５６０  変調部
５７０  接触履歴テーブル記憶部
５８０  入力処理制御部
５９０  接触パターン記憶部
【図１】
2014048692.tif 000003
【図２】
2014048692.tif 000004
【図３】
2014048692.tif 000005
【図４】
2014048692.tif 000006
【図５】
2014048692.tif 000007
【図６】
2014048692.tif 000008
【図７】
2014048692.tif 000009
【図８】
2014048692.tif 000010
【図９】
2014048692.tif 000011
【図１０】
2014048692.tif 000012
【図１１】
2014048692.tif 000013
【図１２】
2014048692.tif 000014
【図１３】
2014048692.tif 000015